(57)【要約】【課題】フィット性に富むばかりでなく、優れたヒップアップ機能と好ましい着用感とを発揮させることができるガードル機能付きの補整用編み下着の提供。【解決手段】ヒップを含む人体胴回りを覆う前身頃部１４と後身頃部２４と、両脚を挿通させるための股部２８とからなるパンティガードル部１３と、該パンティガードル部１３の股部２８側に形成される一対の脚挿通部３３，３３とを少なくとも備える補整用編み下着１１において、前身頃部１４は、縦方向への伸びを抑える編み組織を混在させた上半部１５と、該上半部１５の編み組織よりやや伸びを抑えた下半部１６とで編成し、後身頃部２４は、腰部から臀部へと至るヒップ覆い部２５をループの小さな編み組織で編成し、各脚挿通部３３は、その前面部３４を上半部１５と同じ編み組織で、前面部３４を除く残余の部位を縦横方向への伸びを抑えた編み組織でそれぞれ編成した。【選択図】図２
2004183151.tif 000002
【特許請求の範囲】
【請求項１】
ヒップを含む人体胴回りを覆う前身頃部と後身頃部と、両脚を挿通させるための股部とからなるパンティガードル部と、該パンティガードル部の前記股部側に形成される一対の脚挿通部とを少なくとも備える補整用編み下着において、
前記前身頃部は、縦方向への伸びを抑える編み組織を混在させた上半部と、該上半部の前記編み組織よりやや伸びを抑えた下半部とで編成し、
前記後身頃部は、腰部から臀部へと至るヒップ覆い部をループの小さな編み組織で編成し、
一対の前記脚挿通部は、その前面部を前記上半部と同じ編み組織で、前記前面部を除く残余の部位を縦横方向への伸びを抑えた編み組織でそれぞれ編成したことを特徴とする補整用編み下着。
【請求項２】
前記前身頃部と前記後身頃部との境界に位置する縦領域を、横方向への伸びを抑える編み組織からなるサイドライン部とした請求項１に記載の補整用編み下着。
【請求項３】
前記サイドライン部と前記ヒップ覆い部との境界領域は、該ヒップ覆い部よりはやや伸縮性の劣るほぼ同等の編み組織とした請求項１または２に記載の補整用編み下着。
【発明の詳細な説明】
【０００１】
【発明の属する技術分野】
本発明は、フィット性に富むばかりでなく、優れたヒップアップ機能と好ましい着用感とを得ることもできるガードル機能付きの補整用編み下着に関する技術である。
【０００２】
体形補整のためにパンティストッキングとガードルとを重ね着する場合には、蒸れの問題が生じたり窮屈感を伴うことから、従来よりガードル機能を有するパンティガードル部を備えた一体タイプのパンティストッキングが既に提供されている。
【０００３】
この場合、パンティガードル部は、前身頃を構成している押え布の大きさやその外形ラインの態様の状態などに応じて、これらから得られる押さえ込みの具体的な効果も多様化することから、着用者に対し画一的には定まらない多様な着用感を感受させる傾向にあった。
【０００４】
このため、パンティガードル部を備えた一体タイプのパンティストッキングに関しては、着用者の体形に合致させ得るように、一人一人の着用者の体形を勘案しながら異なる大きさや外形ラインの押え布をオーダーメード方式で逢着して形成するのが理想的であるとされていた。
【０００５】
しかし、パンティガードル部を備えた従来からあるオーダーメードタイプのパンティストッキングによる場合には、一品製作的となって量産に馴染まず生産効率が悪いだけでなく、生産コストもそれだけ上昇してしまうといった問題があった。
【０００６】
また、上記一体タイプのパンティストッキングについては、パンティガードル部の前身頃に位置する押え布に伸縮性がほとんどないことから、着用しようとする際に窮屈さを感じさせるばかりでなく、着用後にあっても押え布の部分を中心として人体を圧迫する結果、時間を経るにつれて着用者に不快感や苦痛感を生じさせてしまうもあった。
【０００７】
このため、着用時や着用中の圧迫感を軽減しつつも、着用者の腹部に対する体型補整もできるガードル付きパンティーストッキング（例えば特許文献１参照）も既に提案されている。
【０００８】
【特許文献１】実用新案登録第３０１９８５３号公報
【０００９】
【発明が解決しようとする課題】
しかし、特許文献１に開示されているガードル付きパンティーストッキングによる場合には、着用時に上側大腿部の前面部の動きをやや窮屈にして動きにくくする不都合があった。
【００１０】
本発明は、従来例にみられた上記課題に鑑み、大量生産方式によってもフィット性に富み、優れたヒップアップ機能と動きやすい好ましい着用感とを得ることができるガードル機能付きの補整用編み下着を提供することを目的とする。
【００１１】
【課題を解決するための手段】
本発明は上記目的を達成すべくなされたものであり、ヒップを含む人体胴回りを覆う前身頃部と後身頃部と、両脚を挿通させるための股部とからなるパンティガードル部と、該パンティガードル部の前記股部側に形成される一対の脚挿通部とを少なくとも備える補整用編み下着において、前記前身頃部は、縦方向への伸びを抑える編み組織を混在させた上半部と、該上半部の前記編み組織よりやや伸びを抑えた下半部とで編成し、前記後身頃部は、腰部から臀部へと至るヒップ覆い部をループの小さな編み組織で編成し、一対の前記脚挿通部は、その前面部を前記上半部と同じ編み組織で、前記前面部を除く残余の部位を縦横方向への伸びを抑えた編み組織でそれぞれ編成したことに構成上の特徴がある。
【００１２】
この場合、前記前身頃部と前記後身頃部との境界に位置する縦領域を、横方向への伸びを抑える編み組織からなるサイドライン部とするのが好ましい。また、前記サイドライン部と前記ヒップ覆い部との境界領域は、該ヒップ覆い部よりはやや伸縮性を劣らせたほぼ同等の編み組織とするのが望ましい。
【００１３】
【発明の実施の形態】
図１は、本発明をパンティストッキングに適用した着用時における状態を一部を省略して例示する正面図であり、図２は、図１に対応させた右側面図を、図３は、同じく図１に対応させた背面図をそれぞれ示す。
【００１４】
これらの図によれば、補整用編み下着１１としてのパンティストッキング１２の全体は、前身頃部１４と後身頃部２４との全体でヒップを含む人体胴回りを覆うパンティガードル部１３と、股部２８を介して両脚が各別に挿通される一対の脚挿通部３３，３３と、これら脚挿通部３３と各別に連続させた一対のストッキング部３６，３６とを一体に編成することにより形成されている。なお、図中の符号１９は、ウエストバンド部を示す。
【００１５】
このうち、パンティガードル部１３は、着用者の左右両側に位置するサイドライン部１７を境界として区画される前身頃部１４と後身頃部２４とでその編み方が異なっている。
【００１６】
図４は、パンティガードル部１３の前身頃部１４における上半部１５の編み方を示すものであり、伸縮性に富むダブルカバリングヤーン（ＤＹＣ）からなる第１編み糸１１１と、その上方に位置する伸縮性に富むウーリーナイロン糸からなる第１伸縮糸１１２と、該第一伸縮糸１１２の上方に位置するダブルカバリングヤーン（ＤＹＣ）からなる第２伸縮糸１１３とを一単位１１０Ａとし、この一単位１１０Ａを繰り返す変則リブメッシュ三口編み１１０の編み組織により編成されている。
【００１７】
図５は、パンティガードル部１３の前身頃部１４における下半部１６の編み方を示すものであり、基本的には図４と同様の編み組織により編成されるものであるが、第１編み糸１１１と第１伸縮糸１１２とのそれぞれが補強糸１１４を伴わせている点で異なっており、これらを一単位１１０Ｂとし、この一単位１１０Ｂを繰り返す変則リブメッシュ三口編み１１０の編み組織により編成されている。
【００１８】
このため、伸縮性を抑えた編み組織からなるパンティガードル部１３における前身頃部１４は、第１編み糸１１１自体が伸縮性に乏しいので、上下（縦）方向での伸びを抑えることができる。しかし、左右（横）方向での伸びを抑える機能はあまり発揮させることができないので、上下（縦）方向よりも大きく伸びることができる。このため、着用者の腹部が前身頃部１４の形状を上回る場合には、図９に矢印Ｐ１として示すように腹部が前方へと突出するのを抑止する方向で締め付けられる結果、腹部の体形補整をすることができる。
【００１９】
図６は、後身頃部２４の編み組織についての水平（横）方向での基本パターンの拡大図を、図７は、後身頃部２４における股部２８側との境界領域２７の編み組織についての水平（横）方向での基本パターンの拡大図をそれぞれ示す。
【００２０】
このうち、パンティガードル部１３の後身頃部２４は、伸縮性の乏しい第１編み糸１２１および第２編み糸１２３と、伸縮性に富む第１伸縮糸１２２および第２伸縮糸１２４とを一単位１２０Ａとし、この一単位１２０Ａを上下（縦）方向に繰り返す変則フロート四口編み１２０の編み方によりヒップ覆い部２５が編成されている。
【００２１】
また、後身頃部２４における股部２８側との境界領域２７の編み組織は、図７に示されているように基本的には図６と同様の編み組織により編成されるものであるが、第２編み糸１２２と第１伸縮糸１２３とのそれぞれが補強糸１２５を伴わせている点で異なっており、これらを一単位１２０Ｂとし、この一単位１２０Ｂを繰り返す変則フロート四口編み１２０の編み組織により編成されている。
【００２２】
このため、上記編み組織によったパンティガードル部１３は、後身頃部２４の全体に伸縮性が付与される結果、いわゆるオーダーメードによることなく着用が容易で体形補整もできることになる。
【００２３】
そして、パンティガードル部１２の後身頃部２４における股部２８側との境界領域２７の編み組織も第２編み糸１２２と第１伸縮糸１２３とのそれぞれに補強糸１２５を伴わせた変則フロート四口編み１２０となっているので、着用者のヒップ下面を図９に矢印Ｐ２として示すように上方へと引き上げる結果、ヒップアップが可能となる。
【００２４】
さらに、パンティガードル部１３における前身頃部１４と後身頃部２４との境界に位置するサイドライン部１７と、後身頃部２４の中央縦ライン部２６とは、変則メッシュ編みの編み組織によりそれぞれ編成されている。
【００２５】
図８は、前身頃部１４と後身頃部２４とが位置する領域から股部２８を含む人体の鼠径部近傍に位置する一対の脚挿通部３３，３３へと至る領域に位置し、かつ、これら脚挿通部３３の前面部３４を除いた上部大腿側覆い部３５の編み組織を示すものであり、補強糸１３５を伴った伸縮性の乏しい第１編み糸１３１と、補強糸を伴わない伸縮性の乏しい第２編み糸１３３と、伸縮性に富む第１伸縮糸１３２および第２伸縮糸１３４とを一単位１３０Ａとし、この一単位１３０Ａを繰り返す変則一対一タック四口編み１３０の編み組織により編成されている。なお、前面部３４は、前身頃部１４の上半部１５と同じ編み組織により編成されている。
【００２６】
このため、各脚挿通部３３の前面部３４を除いた上部大腿側覆い部３５は、伸縮性の乏しい第１編み糸１３１および第２編み糸１３３が伸縮性に富む第１伸縮糸１３２および第２伸縮糸１３４の伸縮性を抑えるように編まれているので、縦横両方向への伸びが抑えられることになる。図９に矢印Ｐ３として示すように、特に左右（横）方向への伸びを抑制する機能により、後身頃部２４のヒップアップ機能をより効果的に向上させることができる。
【００２７】
なお、踵部と爪先部とを除く各ストッキング部３６は、図示は省略してあるが伸縮性の乏しい第１編み糸と、伸縮性に富む第１伸縮糸とを一単位とし、この一単位を繰り返す一対一フロート編みの編み組織で編成されている。
【００２８】
次に、上記構成からなる本発明の作用・効果について説明すれば、パンティガードル１３部前身頃部１４における上半部１５と各脚挿通部３３の前面部３４とは、図４に示す変則リブメッシュ三口編み１１０の編み組織により、下半部１６は、第１編み糸１１１と第１伸縮糸１１２とのそれぞれに補強糸１１４を伴わせた図５に示す変則リブメッシュ三口編み１１０の編み組織によりそれぞれ編成されている。
【００２９】
このため、上記編み組織からなるパンティガードル部１３における前身頃部１４は、第１編み糸１１１自体が伸縮性に乏しいので、上下（縦）方向での伸びを抑えることができる。しかし、左右（横）方向での伸びを抑える機能はあまり発揮させることができないので、上下（縦）方向よりも大きく伸びることができる。このため、着用者の腹部が前身頃部１３の形状を上回る場合には、図９に矢印Ｐ１として示すように腹部が前方へと突出するのを抑止する方向で締め付けられる結果、腹部の体形補整をすることができる。
【００３０】
一方、パンティガードル部１３の後身頃部２４は、図６に示すように変則フロート四口編み１２０の編み組織により、後身頃部２４における股部２８側との境界領域２７は、図７に示すように第２編み糸１２２と第１伸縮糸１２３とのそれぞれに補強糸  を伴わせた変則フロート四口編み１２０の編み組織によりそれぞれ編成されているので、後身頃部２４の全体に伸縮性を付与すると同時に、ヒップラインを上方に引き上げるヒップアップ機能をも付与することで、好ましい体形補整性能を発揮させることができる。
【００３１】
以上は、本発明に係る補整用編み下着をパンティストッキングに適用した場合を例に説明したものであり、その適用分野はこれに限定されるものではない。例えば、本発明は、パンティガードル単体からなる編み下着のほか、膝上までを覆う長さのレッグ部や足首まで覆う長さのレッグ部を備えるパンティガードルからなる編み下着にも適用することができ、これらを含めて本明細書中では「補整用編み下着」と称している。
【００３２】
【発明の効果】
以上述べたように本発明によれば、パンティガードルの前身頃部は、縦方向への延伸を抑制する編み組織を含めて形成されているので、着用者の腹部に対しても好ましい体形補整効果を付与することができる。
【００３３】
また、パンティガードル部における前身頃側と後身頃側との境界に位置する縦領域に横方向への延伸を抑制するサイドライン部が形成されている場合には、前身頃側と後身頃側とを作用的に分断できるので、所望に応じた好ましい状態のもとで好ましい体形補整効果を付与することができる。
【００３４】
一方、パンティガードル部の後身頃部は、変則フロート四口編みの編み組織により、後身頃部における股部側との境界領域は、補強糸を伴わせた変則フロート四口編みの編み組織によりそれぞれ編成されているので、後身頃部の全体に伸縮性を付与すると同時に、ヒップラインを上方に引き上げるヒップアップ機能をも付与することで、着用中にあっても圧迫感が緩和された着心地よい着用感を付与しながら好ましい体形補整性能を発揮させることができる。
【図面の簡単な説明】
【図１】本発明をパンティストッキングに適用した着用時における状態を一部を省略して例示する正面図。
【図２】図１に対応させて示す左側面図。
【図３】図１に対応させて示す背面図。
【図４】前身頃部の上半部の編み組織の基本パターン例を拡大して示す説明図。
【図５】前身頃部の上半部の編み組織の基本パターン例を拡大して示す説明図。
【図６】後身頃部の編み組織の基本パターン例を拡大して示す説明図。
【図７】後身頃部における股部との境界領域の編み組織の基本パターン例を拡大して示す説明図。
【図８】上部大腿側覆い部の編み組織の基本パターン例を拡大して示す説明図。
【図９】図２との対応関係のもとで着用時における着用者に作用する力方向を矢印で示す説明図。
【符号の説明】
１１  補整用編み下着
１２  パンティストッキング
１３  パンティガードル部
１４  前身頃部
１５  上半部
１６  下半部
１７  サイドライン部
１９  ウエストバンド部
２４  後身頃部
２５  ヒップ覆い部
２６  中央縦ライン部
２７  境界領域
２８  股部
３３  脚挿通部
３４  前面部
３５  上部大腿覆い部
３６  ストッキング部
１１０  変則リブメッシュ三口編み
１１０Ａ，１１０Ｂ  １単位
１２０  変則フロート四口編み
１２０Ａ，１２０Ｂ  １単位
１３０  変則一対一タック四口編み
１３０Ａ  １単位
１１１，１２１，１３１  第１編み糸
１１２，１２２，１３２  第１伸縮糸
１２３，１３３  第２編み糸
１１３，１２４，１３４  第２伸縮糸
１１４，１２５，１３５  補強糸
【図１】
2004183151.tif 000003
【図２】
2004183151.tif 000004
【図３】
2004183151.tif 000005
【図４】
2004183151.tif 000006
【図５】
2004183151.tif 000007
【図６】
2004183151.tif 000008
【図７】
2004183151.tif 000009
【図８】
2004183151.tif 000010
【図９】
2004183151.tif 000011